(57)【要約】【課題】ソーラーパネルの発電効率を犠牲にすることなく、ソーラーパネルの地色が外部から視認されない意匠性に優れた文字板及び時計を提供する。【解決手段】凹凸面４ａ上に形成され、可視光領域における分光反射率のピークを持たない第１の蒸着層４２と、平坦面４ｂ上に形成され、可視光領域における分光反射率のピークを持つ第２の蒸着層４３と、を有し、第１の蒸着層４２と第２の蒸着層４３とが重なり合うように配置されている。【選択図】図２
2020112580.tif 000002
【特許請求の範囲】
【請求項１】
凹凸面上に形成され、可視光領域における分光反射率のピークを持たない第１の蒸着層と、
平坦面上に形成され、可視光領域における分光反射率のピークを持つ第２の蒸着層と、を有し、
前記第１の蒸着層と前記第２の蒸着層とが重なり合うように配置されていることを特徴とする文字板。
【請求項２】
一方の面が凹凸面であり、他方の面が平坦面であって、透明又は半透明の板状の基材を備え、
前記第１の蒸着層は、前記基材の凹凸面上に形成され、前記第２の蒸着層は、前記基材の平坦面上に形成されていることを特徴とする請求項１に記載の文字板。
【請求項３】
前記第１の蒸着層は、前記第２の蒸着層よりも視認側に配置されていることを特徴とする請求項１又は請求項２に記載の文字板。
【請求項４】
請求項１から請求項３のいずれか一項に記載の文字板と、
前記文字板を収容するケースと、
を備えることを特徴とする時計。
【請求項５】
前記ケース内に収容されたソーラーパネルをさらに備え、
前記文字板は、前記ソーラーパネルよりも視認側に配置されていることを特徴とする請求項４に記載の時計。
【発明の詳細な説明】
【技術分野】
【０００１】
本発明は、文字板及び時計に関するものである。
【背景技術】
【０００２】
従来、光を受光して発電するソーラーパネルを備える時計等の電子機器が広く知られている（例えば、特許文献１参照）。このような電子機器は、ソーラーパネルにより発電してその電力を二次電池に充電させることにより、電池交換を行うことなく長期間使用することが可能である。
【０００３】
ソーラーパネルを備える電子機器の場合、例えば特許文献１に記載されているように、ソーラーパネルは、光を受光することができるように光透過性を有する文字板の下（裏面側）に配置される。
【先行技術文献】
【特許文献】
【０００４】
【特許文献１】特開２０１４−１７３９２１号公報
【発明の概要】
【発明が解決しようとする課題】
【０００５】
しかしながら、ソーラーパネルは、その表面が濃紫色等となっており、光透過性を有する文字板の下（裏面側）にこれを配置すると、電子機器の視認側からソーラーパネルの地色が透けて見えてしまい、文字板の意匠性が低下してしまう。
【０００６】
この点、文字板の光透過性を低くしてソーラーパネルの地色が透けにくくしたり、文字板とソーラーパネルとの間に反射型の偏光板等を設けて、ソーラーパネルの地色が外部から視認し難くすることも考えられるが、上記のような構成を採用しても、見る角度によっては、ソーラーパネルの地色が視認でき、完全に見えないようにすることは困難である。
【０００７】
また、近年、電子機器には、標準電波受信機能やＧＰＳ受信機能、近距離通信用の電波受信機能等を有する各種のアンテナ装置や、各種のセンサ等、高機能の部品を多く含むモジュールが搭載されている。これに伴い、消費電力も増加していることから、ソーラーパネルによる発電効率の低下はできる限り回避したいという要望がある。
文字板の光透過性を低くしたり、反射型の偏光板等を設けると、その分ソーラーパネルの受光量が減少し、発電効率が低下してしまうが、文字板の意匠性を向上させるためにソーラーパネルの発電効率を犠牲にすることは望ましくない。
【０００８】
また、時計等の電子機器では文字板やソーラーパネル等を収容するケースの小型化が求められるところ、文字板とソーラーパネルとの間に反射型の偏光板等を設ける構成をとるとその分厚みが増してしまい、小型化の要請に反するとの問題もある。
【０００９】
本発明は以上のような事情に鑑みてなされたものであり、ソーラーパネルの発電効率を犠牲にすることなく、ソーラーパネルの地色が外部から視認されない意匠性に優れた文字板及び時計を提供することを目的とするものである。
【課題を解決するための手段】
【００１０】
前記課題を解決するために、本発明に係る文字板は、
凹凸面上に形成され、可視光領域における分光反射率のピークを持たない第１の蒸着層と、
平坦面上に形成され、可視光領域における分光反射率のピークを持つ第２の蒸着層と、を有し、
前記第１の蒸着層と前記第２の蒸着層とが重なり合うように配置されていることを特徴としている。
【発明の効果】
【００１１】
本発明によれば、ソーラーパネルの発電効率を犠牲にすることなく、ソーラーパネルの地色が外部から視認されない意匠性に優れた文字板及び時計を実現することができるという効果を奏する。
【図面の簡単な説明】
【００１２】
【図１】本実施形態における時計の正面図である。
【図２】文字板及びソーラーパネルの模式的な要部断面図である。
【図３】第１の蒸着層の分光反射率を示すグラフである。
【図４】第２の蒸着層の分光反射率を示すグラフである。
【図５】（ａ）〜（ｅ）は、第２の蒸着層の変形例の分光反射率を示すグラフである。
【図６】文字板及びソーラーパネルの一変形例の模式的な要部断面図である。
【図７】文字板及びソーラーパネルの一変形例の模式的な要部断面図である。
【図８】文字板及びソーラーパネルの一変形例の模式的な要部断面図である。
【図９】文字板及びソーラーパネルの一変形例の模式的な要部断面図である。
【発明を実施するための形態】
【００１３】
図１から図４を参照しつつ、本発明に係る文字板及び時計の一実施形態について説明する。  なお、以下に述べる実施形態には、本発明を実施するために技術的に好ましい種々の限定が付されているが、本発明の範囲を以下の実施形態及び図示例に限定するものではない。
【００１４】
図１は、本実施形態における時計の正面図である。
図１に示すように、本実施形態における時計１００は、例えばステンレスやチタニウム等の金属やセラミック、各種の合成樹脂等で形成されたケース（以下、実施形態において「時計ケース１」とする。）を備えている。なお、時計ケース１を形成する材料はここに例示したものに限定されない。
【００１５】
本実施形態の時計ケース１は、中空の短柱形状に形成されており、時計１００の表面側（時計における視認側）には、透明なガラス等で形成された風防部材１１が取り付けられている。
また、時計１００の裏面側には、図示しない裏蓋が取り付けられている。
この時計ケース１の図１における上下両端部、つまり時計の１２時方向側の端部及び６時方向側の端部には、時計バンド２が取り付けられている。
また、時計ケース１の外周部には、時刻合わせの指示などの種々の操作指示が入力される複数の操作ボタン１２が設けられている。
【００１６】
時計ケース１の内部には、後述する文字板４を備える表示部３が収容されている。
図１に示すように、本実施形態において表示部３は、指針３１（すなわち、秒針、分針、時針）を備えるアナログ方式の表示部である。
時計ケース１内には、例えば指針３１を運針させるための輪列機構やモータ等で構成される図示しない時計ムーブメントが収容されており、時計ムーブメントからは指針軸３２が文字板４のほぼ中央部を貫通して文字板４の上に突出している。
指針軸３２は、時針用、分針用、秒針用等の複数の回転軸が同一軸上に重ねて配置されたものであり、指針３１（例えば時針、分針、秒針）は指針軸３２の各回転軸にそれぞれ接続されている。
時計ムーブメントの動作によって指針軸３２が回転すると、指針軸３２の各回転軸に取り付けられた各種指針３１が、指針軸３２の軸周りに文字板４の上面をそれぞれ個別に回転するようになっている。
なお、指針軸３２に取り付けられ指針軸３２の軸周りに運針される指針３１の数等は、図示例に限定されない。例えば指針３１は１つのみでもよいし、時針、分針、秒針の他に各種機能に関する表示を行う機能針が指針３１として設けられていてもよい。また、時針等を支持する指針軸３２の他に機能針を支持する指針軸が別途設けられていてもよい。
【００１７】
また、本実施形態では、時計ケース１内であって文字板４の裏面側（時計１００における視認側とは反対の側）には、ソーラーパネル５（図２参照）が収容されている。
ソーラーパネル５は、光を受光して発電するものであり、ソーラーパネル５により発電された電力は図示しない二次電池に充電される。
【００１８】
図２は、本実施形態における文字板及びその裏面側に配置されたソーラーパネルの模式的な断面図である。
文字板４は、一方の面が凹凸面４ａであり、他方の面が平坦面４ｂであって、透明又は半透明の板状の基材４１を備えている。
基材４１は、例えば透明又は半透明の樹脂やガラス等で形成されている。なお、基材４１を形成する材料は特に限定されない。
本実施形態では、図２に示すように、基材４１における視認側の面が凹凸面４ａとなっており、基材４１における裏面側（すなわち、視認側とは反対側）の面が平坦面４ｂとなっている。
なお、平坦面４ｂは、完全な平面（平滑面）に限定されず、凹凸がなく全体にほぼ平滑化された面を含むものである。
【００１９】
凹凸面４ａは、図１及び図２に示すように、同心円状に形成され断面視において鋸歯状である複数の凸部と、隣り合う凸部同士の間に位置するＶ字状の凹部とからなる。
凹凸面４ａは、凸部と凹部とで形成される複数の傾斜面が光を反射する反射面として機能し、プリズムのように光を複雑に屈折させるとともに、乱反射させる。
なお、凹凸面４ａの形状は、ここに例示したものに限定されず、例えば、同心円状ではなく、渦巻き状に形成されていてもよいし、文字板４の中心から外周に向かって放射状に形成された複数の溝部で構成されていてもよい。
【００２０】
基材４１の凹凸面４ａ上には、可視光領域における分光反射率のピークを持たない第１の蒸着層４２が形成されている。
図３は、本実施形態における第１の蒸着層４２の分光反射率を示すグラフである。
図３において、実線は入射角度０度の場合における第１の蒸着層４２の分光反射率を示し、破線は入射角度４５度の場合における第１の蒸着層４２の分光反射率を示している。
図３に示すように、入射角度０度の場合、入射角度４５度の場合のいずれにおいても、第１の蒸着層４２の分光反射率は、光の波長にかかわらずほぼ２０％前後で緩やかに変化しており、可視光領域における特定の波長について分光反射率のピークを持っていない。
このように、第１の蒸着層４２は、特定の色の付いていない反射膜、高輝度透過膜であり、外部から第１の蒸着層４２を見た場合には、シルバー又はそれに近い色合いの膜として視認される。
【００２１】
他方、基材４１の平坦面４ｂ上には、可視光領域における分光反射率のピークを持つ第２の蒸着層４３が形成されている。
図４は、本実施形態における第２の蒸着層４３の分光反射率を示すグラフである。
図４において、実線は入射角度０度の場合における第２の蒸着層４３の分光反射率を示し、破線は入射角度４５度の場合における第２の蒸着層４３の分光反射率を示している。
図４に示すように、入射角度０度の場合、入射角度４５度の場合のいずれにおいても、第２の蒸着層４３は、４５０ｎｍ前後の波長において分光反射率がピークを示しており、第２の蒸着層４３においては、特に青色の波長成分が多く反射される。このため、第２の蒸着層４３は、外部から見た場合には、青色又はそれに近い色合いの膜として視認される。
特に本実施形態のように、平坦な面の上に第２の蒸着層４３を設けることにより、狙った通りの色を発色させることができる。
【００２２】
本実施形態において、第１の蒸着層４２及び第２の蒸着層４３は、それぞれTiO2，SiO2，ZrO2等に代表される「酸化物」、MgF2，CaF2等に代表される「フッ化物」、ZnSに代表される「硫化物」の３種の化合物を積層することにより構成されている。また、場合によっては、これらの化合物の他に、Ti，Cr等の純金属を組み合わせてもよい。
なお、第１の蒸着層４２及び第２の蒸着層４３を形成する成膜物質（蒸着材料）は、特に限定されず、一般に光学蒸着等に用いられる膜成分であれば適宜適用可能である。
また、第１の蒸着層４２及び第２の蒸着層４３は、例えば、数層から２０層程度の膜を積層することにより成膜されている。
なお、第１の蒸着層４２及び第２の蒸着層４３の膜構成はここに例示したものに限定されず、１層で構成されていてもよいし、１００層以上積層して構成されていてもよい。
第１の蒸着層４２及び第２の蒸着層４３を多層で構成する場合には、例えば上記に例示したような成膜物質（蒸着材料）のうちから２〜３種を用いて、これを交互に重ねていくことにより多層膜を形成してもよい。
また、第１の蒸着層４２及び第２の蒸着層４３の膜厚は、例えば数ｎｍ〜数百ｎｍ（数十Å〜数千Å）となっている。
なお、第１の蒸着層４２及び第２の蒸着層４３を多層膜とした場合の各蒸着層４２，４３の総厚みは１μｍ以下であることが好ましい。
【００２３】
本実施形態では、上記のように、基材４１の表裏に凹凸面４ａ及び平坦面４ｂが形成されており、凹凸面４ａ上に第１の蒸着層４２、平坦面４ｂ上に第２の蒸着層４３が形成されていることで、第１の蒸着層４２と第２の蒸着層４３とが重なり合うように配置されている。
そして、第１の蒸着層４２は、基材４１の表面側に形成された凹凸面４ａ上に形成されているため、第２の蒸着層４３よりも視認側に配置される。
また、本実施形態では、上記のように、凹凸面４ａ上に第１の蒸着層４２が形成され、平坦面４ｂ上に第２の蒸着層４３が形成された文字板４が時計ケース１内に収容されたソーラーパネル５よりも視認側に配置される構成となっている。
【００２４】
次に、本実施形態における文字板４及びこれを適用した時計１００の作用について説明する。
【００２５】
本実施形態において、まず、透明又は半透明の板状の基材４１の一方の面に凹凸を形成して凹凸面４ａとし、基材４１の他方の面を凹凸のない平坦面４ｂとする。そして、凹凸面４ａ上に可視光領域における分光反射率のピークを持たない第１の蒸着層４２を蒸着形成し、平坦面４ｂ上に可視光領域における分光反射率のピークを持つ第２の蒸着層４３を蒸着形成する。これにより、文字板４が形成される。
このように、基材４１の一方の面に第１の蒸着層４２を形成し、基材４１の他方の面に第２の蒸着層４３を形成することにより、文字板４の基材４１の表裏に第１の蒸着層４２と第２の蒸着層４３とが重なり合うように配置された状態となる。
【００２６】
そして、第１の蒸着層４２が形成されている凹凸面４ａを視認側とし、第２の蒸着層４３が形成されている平坦面４ｂを裏面側として、文字板４を時計ケース１内に収容する。
さらに、文字板４の裏面側（時計１００における視認側とは反対の裏面側）に配置されるようにして、ソーラーパネル５を時計ケース１内に収容する。
また、時計ケース１内に時計ムーブメント等をさらに収容し、時計ケース１の視認側の開口部に風防部材１１を嵌装し、時計ケース１の裏面側の開口部に裏蓋を取り付ける。
これにより時計１００が完成する。
【００２７】
このように、文字板４の一方の面に凹凸面４ａを形成し、この上に可視光領域における分光反射率のピークを持たない高輝度透過膜である第１の蒸着層４２を形成することで、凹凸面４ａの凹凸による光の複雑な屈折・反射と、第１の蒸着層４２による光の反射とが相俟って光が複雑に乱反射し、第１の蒸着層４２の下にあるものを視認しにくくする。また、光が乱反射することでプリズムによって光が反射した時のような優れた視覚的効果を得ることができる。
さらに、文字板４の他方の面には平坦面４ｂを形成し、この上に可視光領域における分光反射率のピークを持つ第２の蒸着層４３を形成することにより、文字板４の下にあるものをより視認しにくくするとともに、第２の蒸着層４３によって反射される特定の波長の色（本実施形態では、図４に示すように青色又はこれに近似した色）が、文字板４の表面（すなわち、視認側の面）に透けて見え、光沢感のある色付きの文字板４として視認される。
そして、このような文字板４をソーラーパネル５よりも視認側に配置することにより、濃紫色等の地色であるソーラーパネル５を光透過性のある文字板４の下（裏面側）に配置した場合でも、ソーラーパネル５の地色が視認側に透けて見えなくなり、意匠性に優れた時計１００とすることができる。
また、このような第１の蒸着層４２及び第２の蒸着層４３が形成された文字板４をソーラーパネル５よりも視認側に配置した場合でも、第１の蒸着層４２及び第２の蒸着層４３は、前述のように、例えば数ｎｍ〜数百ｎｍ程度のごく薄い膜厚のものであるため、ソーラーパネル５による受光を妨げないため、ソーラーパネル５の発電効率も低下させない。
【００２８】
以上のように、本実施形態によれば、文字板４が凹凸面４ａ上に形成され、可視光領域における分光反射率のピークを持たない第１の蒸着層４２と、平坦面４ｂ上に形成され、可視光領域における分光反射率のピークを持つ第２の蒸着層４３とを有しており、第１の蒸着層４２と第２の蒸着層４３とが重なり合うように配置されている。
これにより、凹凸面４ａの凹凸による光の複雑な屈折・反射と、第１の蒸着層４２による光の反射とが相俟って光が複雑に乱反射し、光沢感のある優れた視覚的効果を有する文字板４を実現することができる。
また、このように凹凸面４ａの凹凸と第１の蒸着層４２とによって、複雑に光を反射させることによって文字板４の下にあるものを視認しにくくすることができる。
さらに、文字板４の他方の面には平坦面４ｂを形成し、この上に可視光領域における分光反射率のピークを持つ第２の蒸着層４３を形成することにより、文字板４の下にあるものをより視認しにくくするとともに、第２の蒸着層４３によって反射される特定の波長の色（本実施形態では、図４に示すように青色又はこれに近似した色）が、文字板４の表面（すなわち、視認側の面）に透けて見え、光沢感のある色付きの文字板４として視認されるため、意匠性に優れた文字板４を実現することができる。
また、本実施形態では、文字板４が透明又は半透明の板状の基材４１を備え、この基材４１の表裏に凹凸面４ａ及び平坦面４ｂを形成し、この凹凸面４ａ及び平坦面４ｂの上に第１の蒸着層４２と第２の蒸着層４３とを形成している。
このため、第１の蒸着層４２及び第２の蒸着層４３を蒸着させるシート等を別途設ける場合と比較して部品点数が少なくて済むとともに、文字板４の薄型化を図ることができる。
また、本実施形態では、凹凸面４ａ上に配置されている第１の蒸着層４２は、平坦面４ｂ上に配置されている第２の蒸着層４３よりも視認側に配置されている。このため、視認側から文字板４を見た場合に、凹凸面４ａの凹凸による光の複雑な屈折・反射と、第１の蒸着層４２による光の反射により、文字板４の表面が金属的な光沢感のある美しい見栄えとなる。
さらに、本実施形態では、このような文字板４をソーラーパネル５よりも視認側に配置しているため、ソーラーパネル５の地色が文字板４の視認側に透けて見えるのを効果的に防止することができる。そして、このようにソーラーパネル５が透けるのを防止しつつも、文字板４自体は透明又は半透明の基材４１の表裏に薄膜を施したものであるため、光透過性は確保されており、ソーラーパネル５の受光は阻害されない。このため、発電効率は低下せず、各種アンテナ装置やセンサ等の高機能の部品を多数搭載しているような時計（電子機器）１００であっても、ソーラーパネル５による発電によって消費電力を賄うことができ、高い意匠性と時計（電子機器）１００の高機能・多機能性とを両立させることができる。
【００２９】
なお、以上本発明の実施形態について説明したが、本発明は、かかる実施形態に限定されず、その要旨を逸脱しない範囲で、種々変形が可能であることは言うまでもない。
【００３０】
例えば、本実施形態では、平坦面４ｂに形成される第２の蒸着層４３が青色又はその近傍の波長を多く反射させるものである場合を例示したが、第２の蒸着層４３は、可視光領域における分光反射率のピークが青色又はその近傍の波長であるものに限定されない。
例えば、第２の蒸着層４３は、図５（ａ）のように、５００ｎｍ前後の波長において分光反射率がピークを示し、緑色の波長成分が多く反射されるものであってもよい。
また、図５（ｂ）のように、６００ｎｍ前後の波長において分光反射率がピークを示し、黄色の波長成分が多く反射されるものであってもよい。
また、図５（ｃ）のように、４５０ｎｍ前後の波長と６００ｎｍ前後の波長において分光反射率がピークを示し、ピンク色の波長成分が多く反射されるものであってもよい。
また、図５（ｄ）のように、７００ｎｍ前後の波長において分光反射率がピークを示し、赤色の波長成分が多く反射されるものであってもよい。
また、図５（ｅ）のように、４５０ｎｍから６００ｎｍ前後の波長において分光反射率がピークを示し、シャンパン色の波長成分が多く反射されるものであってもよい。
このように、第２の蒸着層４３として、様々な可視光領域における分光反射率ピークを持つものを採用することにより、各種の色の文字板４を実現することが可能となる。
【００３１】
また、本実施形態では、凹凸面４ａとして断面視において鋸歯状のものを例示したが、凹凸面４ａにおける凹凸形状はこれに限定されない。
例えば、図６に示すように、文字板６の基材６１の視認側に鋸歯状のピークを持たない凹凸形状の凹凸面６ａを設けてもよい。
この場合も、基材６１の裏面側には平坦面６ｂを形成し、凹凸面６ａ上に第１の蒸着層６２を形成し、平坦面６ｂ上に第２の蒸着層６３を形成する。
この場合にも、凹凸面６ａと第１の蒸着層６２とによる光の乱反射と、第１の蒸着層６２と第２の蒸着層６３とを重ね合わせることによる視覚的効果、及び文字板６の下にあるものを視認しにくくする効果を期待することができる。
【００３２】
また、本実施形態では、凹凸面４ａを文字板４の視認側に配置し、平坦面４ｂを文字板４の裏面側に配置する場合を例示したが、凹凸面４ａ及び平坦面４ｂの配置はこれに限定されない。
例えば、図７に示すように、文字板７の基材７１の裏面側に凹凸面７ａを配置し、文字板７の基材７１の視認側に平坦面７ｂを配置して、凹凸面７ａ上に第１の蒸着層７２を形成し、平坦面７ｂ上に第２の蒸着層７３を形成してもよい。
この場合にも、第１の蒸着層７２と第２の蒸着層７３とを重ね合わせることによる視覚的効果と、文字板７の下にあるものを視認しにくくする効果を期待することができる。
【００３３】
また、本実施形態では、文字板４の基材４１の表裏に第１の蒸着層４２及び第２の蒸着層４３を設ける場合を例示したが、文字板の構成はこれに限定されない。
例えば、図８に示すように、文字板８を構成する基材８１の一方の面に凹凸面８ａを形成して、この凹凸面８ａ上に第１の蒸着層８２を形成するとともに、基材８１の下（裏面側）に配置されたソーラーパネル５の表面側を平坦面５ｂとし、この平坦面５ｂの上に第２の蒸着層８３を形成してもよい。
この場合にも、第１の蒸着層８２と第２の蒸着層８３とを重ね合わせることによる視覚的効果と、文字板８の下にあるものを視認しにくくする効果を期待することができる。
なお、この場合、凹凸面８ａ及びこの上に形成される第１の蒸着層８２は、基材８１の裏面側に配置されてもよい。
【００３４】
さらに、文字板４は、基材４１と第１の蒸着層４２及び第２の蒸着層４３とで構成されている場合に限定されない。
例えば、図９に示すように、文字板９が、基材９１の他に、この基材９１の下（裏面側）に配置されたシート部材９４を備えていてもよい。そしてこの場合、基材９１の一方の面に凹凸面９ａを形成して、この上に第１の蒸着層９２を形成し、シート部材９４の一方の面を平坦面９ｂとして、この上に第２の蒸着層９３を形成してもよい。
この場合にも、凹凸面９ａと第１の蒸着層９２とによる光の乱反射と、第１の蒸着層９２と第２の蒸着層９３とを重ね合わせることによる視覚的効果、及び文字板９の下にあるものを視認しにくくする効果を期待することができる。
なお、この場合、凹凸面９ａ及びこの上に形成される第１の蒸着層９２は、基材９１の裏面側に配置されてもよい。
また、平坦面９ｂ及びこの上に形成される第２の蒸着層９３は、シート部材９４の視認側（表面側）に配置されてもよい。
【００３５】
また、本実施形態では、文字板４を備える表示部３が指針３１を備えるアナログ方式である場合を例示したが、文字板４を備える表示部３はアナログ方式のものに限定されず、液晶パネル等を備え、アナログ方式とデジタル方式とが組み合わされた文字板であってもよい。
【００３６】
また、本実施形態では、文字板４が時計１００に設けられる場合を例示したが、文字板４が設けられる電子機器は時計に限定されない。
例えば、歩数計、心拍数計、高度計、気圧計等の文字板として本発明の文字板を適用してもよい。
【００３７】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
凹凸面上に形成され、可視光領域における分光反射率のピークを持たない第１の蒸着層と、
平坦面上に形成され、可視光領域における分光反射率のピークを持つ第２の蒸着層と、を有し、
前記第１の蒸着層と前記第２の蒸着層とが重なり合うように配置されていることを特徴とする文字板。
＜請求項２＞
一方の面が凹凸面であり、他方の面が平坦面であって、透明又は半透明の板状の基材を備え、
前記第１の蒸着層は、前記基材の凹凸面上に形成され、前記第２の蒸着層は、前記基材の平坦面上に形成されていることを特徴とする請求項１に記載の文字板。
＜請求項３＞
前記第１の蒸着層は、前記第２の蒸着層よりも視認側に配置されていることを特徴とする請求項１又は請求項２に記載の文字板。
＜請求項４＞
請求項１から請求項３のいずれか一項に記載の文字板と、
前記文字板を収容するケースと、
を備えることを特徴とする時計。
＜請求項５＞
前記ケース内に収容されたソーラーパネルをさらに備え、
前記文字板は、前記ソーラーパネルよりも視認側に配置されていることを特徴とする請求項４に記載の時計。
【符号の説明】
【００３８】
１      時計ケース
３      表示部
４      文字板
４ａ    凹凸面
４ｂ    平坦面
５      ソーラーパネル
４１    基材
４２    第１の蒸着層
４３    第２の蒸着層
１００  時計
【図１】
2020112580.tif 000003
【図２】
2020112580.tif 000004
【図３】
2020112580.tif 000005
【図４】
2020112580.tif 000006
【図５】
2020112580.tif 000007
【図６】
2020112580.tif 000008
【図７】
2020112580.tif 000009
【図８】
2020112580.tif 000010
【図９】
2020112580.tif 000011
【手続補正書】
【提出日】令和2年5月26日(2020.5.26)
【手続補正１】
【補正対象書類名】明細書
【補正対象項目名】００１０
【補正方法】変更
【補正の内容】
【００１０】
前記課題を解決するために、本発明に係る文字板は、
凹凸面上に形成され、可視光領域における分光反射率が第１の値から第２の値の間に収まる第１の層と、
平坦面上に形成され、可視光領域における一部の領域において分光反射率が前記第２の値を超え、可視光領域における一部の領域において分光反射率が前記第２の値を超えない第２の層と、
を有し、
前記第１の層と前記第２の層とが平面視において重なり合うように配置されていることを特徴としている。
【手続補正２】
【補正対象書類名】特許請求の範囲
【補正対象項目名】全文
【補正方法】変更
【補正の内容】
【特許請求の範囲】
【請求項１】
凹凸面上に形成され、可視光領域における分光反射率が第１の値から第２の値の間に収まる第１の層と、
平坦面上に形成され、可視光領域における一部の領域において分光反射率が前記第２の値を超え、可視光領域における一部の領域において分光反射率が前記第２の値を超えない第２の層と、
を有し、
前記第１の層と前記第２の層とが平面視において重なり合うように配置されていることを特徴とする文字板。
【請求項２】
前記第１の値は、０パーセントであり、
前記第２の値は、３０パーセントである
ことを特徴とする請求項１に記載の文字板。
【請求項３】
請求項１又は請求項２に記載の文字板と、
前記文字板を収容するケースと、
を備えることを特徴とする時計。